【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
ＩＰパケット化された非圧縮映像信号を伝送する少なくとも１つの第１のネットワークと、ＩＰパケット化された圧縮映像信号を伝送する少なくとも１つの第２のネットワークとを接続し、前記第１のネットワークから受信した前記ＩＰパケット化された非圧縮映像信号を圧縮し、前記第２のネットワークに前記ＩＰパケット化された圧縮映像信号を伝送する映像エンコーダであって、
それぞれが、
前記ＩＰパケット化された非圧縮映像信号を受信する受信手段と、
前記ＩＰパケット化された非圧縮映像信号から映像データを取り出す取出し手段と、
前記映像データを圧縮する圧縮手段と、
前記圧縮手段により圧縮された前記映像データをＩＰパケット化して、前記ＩＰパケット化された圧縮映像信号を作成する作成手段と、
前記ＩＰパケット化された圧縮映像信号を送信する送信手段と
を含む複数のエンコーダ部と、
それぞれが前記少なくとも１つの第１のネットワークのうちのいずれかに接続された、複数の受信側ネットワークインタフェースと、
前記複数の受信側ネットワークインタフェースの少なくとも１つを介して前記第１のネットワークから前記ＩＰパケット化された非圧縮映像信号を受信し、前記複数のエンコーダ部のうちの少なくとも１つを選択して前記ＩＰパケット化された非圧縮映像信号を送信する受信側のスイッチと、
それぞれが前記少なくとも１つの第２のネットワークのうちのいずれかに接続された、複数の送信側ネットワークインタフェースと、
前記選択されたエンコーダ部から前記ＩＰパケット化された圧縮映像信号を受信して、前記複数の送信側ネットワークインタフェースのうちの少なくとも１つを選択し、前記選択された送信側ネットワークインタフェースを介して前記ＩＰパケット化された圧縮映像信号を前記第２のネットワークに送信する送信側のスイッチと
を備えることを特徴とする映像エンコーダ。
【請求項２】
前記受信側のスイッチと、前記送信側のスイッチとは、同一のスイッチを使用することを特徴とする請求項１に記載の映像エンコーダ。
【請求項３】
ＩＰパケット化された非圧縮映像信号を伝送する少なくとも１つの第１のネットワークと、ＩＰパケット化された圧縮映像信号を伝送する第２のネットワークとを接続し、前記第１のネットワークから受信したＩＰパケット化された非圧縮映像信号を圧縮し、前記第２のネットワークに前記ＩＰパケット化された圧縮映像信号を伝送する映像エンコーダであって、
それぞれが、
前記ＩＰパケット化された非圧縮映像信号を受信する受信手段と、
前記ＩＰパケット化された非圧縮映像信号から映像データを取り出す取出し手段と、
前記映像データを圧縮する圧縮手段と、
前記圧縮手段により圧縮された前記映像データをＩＰパケット化して、前記ＩＰパケット化された圧縮映像信号を作成する作成手段と、
前記ＩＰパケット化された圧縮映像信号を前記第２のネットワークに送信する送信手段と
を含む複数のエンコーダ部と、
それぞれが少なくとも１つの前記第１のネットワークのうちのいずれかに接続された、複数の受信側ネットワークインタフェースと、
前記複数の受信側ネットワークインタフェースの少なくとも１つを介して前記第１のネットワークから前記ＩＰパケット化された非圧縮映像信号を受信し、前記複数のエンコーダ部のうちの少なくとも１つを選択して前記ＩＰパケット化された非圧縮映像信号を送信する受信側のスイッチと
を備えることを特徴とする映像エンコーダ。
【請求項４】
ＩＰパケット化された非圧縮映像信号を伝送する第１のネットワークと、ＩＰパケット化された圧縮映像信号を伝送する少なくとも１つの第２のネットワークとを接続し、前記第１のネットワークから受信した前記ＩＰパケット化された非圧縮映像信号を圧縮し、前記第２のネットワークに前記ＩＰパケット化された圧縮映像信号を伝送する映像エンコーダであって、
それぞれが、
前記第１のネットワークから、前記ＩＰパケット化された非圧縮映像信号を受信する受信手段と、
前記ＩＰパケット化された非圧縮映像信号から映像データを取り出す取出し手段と、
前記映像データを圧縮する圧縮手段と、
前記圧縮手段により圧縮された前記映像データをＩＰパケット化して、前記ＩＰパケット化された圧縮映像信号を作成する作成手段と、
前記ＩＰパケット化された圧縮映像信号を送信する送信手段と
を含む複数のエンコーダ部と、
それぞれが前記少なくとも１つの第２のネットワークのうちのいずれかに接続された、複数の送信側ネットワークインタフェースと、
前記複数のエンコーダ部のいずれかから前記ＩＰパケット化された圧縮映像信号を受信し、前記複数の送信側ネットワークインタフェースのうちの少なくとも１つを選択し、前記選択された送信側ネットワークインタフェースを介して前記ＩＰパケット化された圧縮映像信号を前記第２のネットワークに送信する送信側のスイッチと
を備えることを特徴とする映像エンコーダ。
【請求項５】
前記取出し手段は、オーディオデータを取り出すオーディオデータ取出し手段を更に含み、
前記圧縮手段は、前記オーディオデータを圧縮するオーディオデータ圧縮手段を更に含む
ことを特徴とする請求項１乃至４のいずれか１項に記載の映像エンコーダ。
【請求項６】
ＩＰパケット化された非圧縮映像信号を伝送する少なくとも１つの第１のネットワークと、
ＩＰパケット化された圧縮映像信号を伝送する少なくとも１つの第２のネットワークと、
前記第１のネットワークと前記第２のネットワークとを接続し、前記第１のネットワークから受信した前記ＩＰパケット化された非圧縮映像信号を圧縮し、前記第２のネットワークに前記ＩＰパケット化された圧縮映像信号を伝送する映像エンコーダと
を備え、
前記映像エンコーダは、
複数のエンコーダ部であって、それぞれが、
前記ＩＰパケット化された非圧縮映像信号を受信する受信手段と、
前記ＩＰパケット化された非圧縮映像信号から映像データを取り出す取出し手段と、
前記映像データを圧縮する圧縮手段と、
前記圧縮手段により圧縮された前記映像データをＩＰパケット化して、前記ＩＰパケット化された圧縮映像信号を作成する作成手段と、
前記ＩＰパケット化された圧縮映像信号を送信する送信手段と
を備える、エンコーダ部と、
それぞれが前記少なくとも１つの第１のネットワークのうちのいずれかに接続された、複数の受信側ネットワークインタフェースと、
前記複数の受信側ネットワークインタフェースの少なくとも１つを介して前記第１のネットワークから前記ＩＰパケット化された非圧縮映像信号を受信し、前記複数のエンコーダ部のうちの少なくとも１つを選択して前記ＩＰパケット化された非圧縮映像信号を送信する受信側のスイッチと、
それぞれが少なくとも１つの前記第２のネットワークのうちのいずれかに接続された、複数の送信側ネットワークインタフェースと、
前記選択されたエンコーダ部から前記ＩＰパケット化された圧縮映像信号を受信し、前記複数の送信側ネットワークインタフェースのうちの少なくとも１つを選択して、前記選択された送信側ネットワークインタフェースを介して前記ＩＰパケット化された圧縮映像信号を前記第２のネットワークに送信する送信側のスイッチと
を含むことを特徴とする映像配信システム。
【請求項７】
前記受信側のスイッチと、前記送信側のスイッチとは、同一のスイッチを使用することを特徴とする請求項６に記載の映像配信システム。
【請求項８】
ＩＰパケット化された非圧縮映像信号を伝送する少なくとも１つの第１のネットワークと、
ＩＰパケット化された圧縮映像信号を伝送する第２のネットワークと、
前記第１のネットワークと前記第２のネットワークとを接続し、前記第１のネットワークから受信した前記ＩＰパケット化された非圧縮映像信号を圧縮し、前記第２のネットワークに前記ＩＰパケット化された圧縮映像信号を伝送する映像エンコーダと
を備え、
前記映像エンコーダは、
複数のエンコーダ部であって、それぞれが、
前記ＩＰパケット化された非圧縮映像信号を受信する受信手段と、
前記ＩＰパケット化された非圧縮映像信号から映像データを取り出す取出し手段と、
前記映像データを圧縮する圧縮手段と、
前記圧縮手段により圧縮された前記映像データをＩＰパケット化して、前記ＩＰパケット化された圧縮映像信号を作成する作成手段と、
前記ＩＰパケット化された圧縮映像信号を前記第２のネットワークに送信する送信手段と
を含む、エンコーダ部と、
それぞれが少なくとも１つの前記第１のネットワークのうちのいずれかに接続された、複数の受信側ネットワークインタフェースと、
前記複数の受信側ネットワークインタフェースの少なくとも１つを介して前記第１のネットワークから前記ＩＰパケット化された非圧縮映像信号を受信し、前記複数のエンコーダ部のうちの少なくとも１つを選択して前記ＩＰパケット化された非圧縮映像信号を送信する受信側のスイッチと
を含むことを特徴とする映像配信システム。
【請求項９】
ＩＰパケット化された非圧縮映像信号を伝送する第１のネットワークと、
ＩＰパケット化された圧縮映像信号を伝送する少なくとも１つの第２のネットワークと、
前記第１のネットワークと前記第２のネットワークとを接続し、前記第１のネットワークから受信した前記ＩＰパケット化された非圧縮映像信号を圧縮し、前記第２のネットワークに前記ＩＰパケット化された圧縮映像信号を伝送する映像エンコーダと
を備え、
前記映像エンコーダは、
複数のエンコーダ部であって、それぞれが、
前記第１のネットワークから前記ＩＰパケット化された非圧縮映像信号を受信する受信手段と、
前記ＩＰパケット化された非圧縮映像信号から映像データを取り出す取出し手段と、
前記映像データを圧縮する圧縮手段と、
前記圧縮手段により圧縮された前記映像データをＩＰパケット化して、前記ＩＰパケット化された圧縮映像信号を作成する作成手段と、
前記ＩＰパケット化された圧縮映像信号を送信する送信手段と
を含む、エンコーダ部と、
それぞれが少なくとも１つの前記第２のネットワークのうちのいずれかに接続された、複数の送信側ネットワークインタフェースと、
前記複数のエンコーダ部のいずれかから前記ＩＰパケット化された圧縮映像信号を受信し、前記複数の送信側ネットワークインタフェースのうちの少なくとも１つを選択し、前記選択された送信側ネットワークインタフェースを介して前記ＩＰパケット化された圧縮映像信号を前記第２のネットワークに送信する送信側のスイッチと
を含むことを特徴とする映像配信システム。
【請求項１０】
前記映像エンコーダの前記取出し手段は、オーディオデータを取り出すオーディオデータ取出し手段を更に含み、
前記映像エンコーダの前記圧縮手段は、前記オーディオデータを圧縮するオーディオデータ圧縮手段を更に含む
ことを特徴とする請求項６乃至９のいずれか１項に記載の映像配信システム。